(57)【要約】【課題】操作性を向上させた携帯端末を提供する【解決手段】電子書籍用端末１０は、第１の表示パネル２１を有する第１の表示部２０と、第２の表示パネル３１を有する第２の表示部３０と、第１の表示部２０と第２の表示部３０とを連結するとともに開閉角度θが調整できる連結部４０と、連結部４０の開閉角度θを検出する角度検出部１２と、第１の表示パネル２１と第２の表示パネル３１とに、それぞれ表示された電子書籍の連続するページの画像を、ページ数を増減させた画像にそれぞれ更新し表示する表示ページ更新処理の指示を検出する動作検出部１３と、角度検出部１２が検出した開閉角度θが所定角度未満の場合には表示ページ更新処理を行い、開閉角度θが所定角度以上の場合には表示ページ更新処理を行わない制御部１１と、を具備する。【選択図】図３
2012212194.tif 000002
【特許請求の範囲】
【請求項１】
第１の表示パネルを有する第１の表示部と、
第２の表示パネルを有する第２の表示部と、
前記第１の表示部と前記第２の表示部とを連結するとともに、開閉角度が調整できる連結部と、
前記連結部の前記開閉角度を検出する角度検出部と、
前記第１の表示パネルと前記第２の表示パネルとに、それぞれ表示された連続するページの画像を、ページ数を増減させた画像にそれぞれ更新し表示する表示ページ更新処理の指示を検出するページ更新指示検出部と、
前記角度検出部が検出した前記開閉角度が所定角度未満の場合には、前記表示ページ更新処理を行い、前記開閉角度が所定角度以上の場合には、前記表示ページ更新処理を行わない制御部と、を具備する携帯端末。
【請求項２】
前記表示ページ更新処理を行う場合、前記第１の表示パネルと前記第２の表示パネルとに、それぞれ表示された連続するページの画像を、前記ページを１ページ増加または２ページ減少させた画像にそれぞれ更新し表示する請求項１に記載の携帯端末。
【請求項３】
前記ページ更新指示検出部が、前記第１の表示パネルまたは前記第２の表示パネルの少なくともいずれかの動きを検出する動作検出部である請求項１に記載の携帯端末。
【請求項４】
前記所定角度が略１８０度である請求項１に記載の携帯端末。
【請求項５】
前記表示ページ更新処理を行う場合、ページをめくる動画を表示する請求項３に記載の携帯端末。
【請求項６】
第１の表示部の第１の表示パネルと第２の表示部の第２の表示パネルとに、連続するページの画像を表示する工程と、
前記第１の表示パネルと前記第２の表示パネルとに、表示された連続するページそれぞれの画像を、ページ数を増減させた画像にそれぞれ更新し表示する表示ページ更新処理の指示を検出する工程と、
前記第１の表示部と前記第２の表示部との連結部の開閉角度が所定角度未満の場合には、前記表示ページ更新処理を行い、前記開閉角度が所定角度以上の場合には、前記表示ページ更新処理を行わない工程と、を具備する携帯端末制御方法。
【発明の詳細な説明】
【技術分野】
【０００１】
本発明の実施形態は、２画面を有するクラムシェル型の携帯端末および携帯端末制御方法に関する。
【背景技術】
【０００２】
２つの表示パネルを有し、携行時にはそれぞれの表示パネルを向かい合わせに折りたたむことができ、使用時には２つの表示パネルを展開することができるクラムシェル型携帯端末が提案されている。クラムシェル型携帯端末を電子書籍用端末、いわゆる電子ブックとして用いる場合には、紙の本に類似した操作性を提供するための提案がなされている。
【先行技術文献】
【特許文献】
【０００３】
【特許文献１】特開２００９−２６５７５７号公報
【発明の概要】
【発明が解決しようとする課題】
【０００４】
本発明の実施形態は、操作性を向上させた携帯端末、および携帯端末制御方法を提供することを目的とする。
【課題を解決するための手段】
【０００５】
本発明の一態様の、携帯端末は、第１の表示パネルを有する第１の表示部と、第２の表示パネルを有する第２の表示部と、第１の表示部と第２の表示部とを連結するとともに開閉角度が調整できる連結部と、連結部の開閉角度を検出する角度検出部と、第１の表示パネルと第２の表示パネルとに、それぞれ表示された連続するページの画像を、ページ数を増減させた画像にそれぞれ更新し表示する表示ページ更新処理の指示を検出するページ更新指示検出部と、角度検出部が検出した開閉角度が所定角度未満の場合には表示ページ更新処理を行い開閉角度が所定角度以上の場合には、表示ページ更新処理を行わない制御部と、を具備する。
【０００６】
また本発明の別の一態様の携帯端末制御方法は、第１の表示部の第１の表示パネルと第２の表示部の第２の表示パネルとに連続するページの画像を表示する工程と、第１の表示パネルと第２の表示パネルとに表示された連続するページそれぞれの画像をページ数を増減させた画像にそれぞれ更新し表示する表示ページ更新処理の指示を検出する工程と、第１の表示部と第２の表示部との連結部の開閉角度が所定角度未満の場合には、表示ページ更新処理を行い、開閉角度が所定角度以上の場合には、表示ページ更新処理を行わない工程と、を具備する。
【発明の効果】
【０００７】
本発明の実施形態によれば、操作性の良い電子書籍用端末および操作性の良い電子書籍用端末の制御方法を提供することができる。
【図面の簡単な説明】
【０００８】
【図１】実施形態の電子書籍用端末の外観図である。
【図２】実施形態の電子書籍用端末の構成図である。
【図３】実施形態の電子書籍用端末の動作の流れを説明するためのフローチャートである。
【図４】実施形態の電子書籍用端末の開閉角度θを説明するための底面図であり、図４（Ａ）はθ＝１８０度の状態を、図４（Ｂ）はθ＜１８０度の状態を、図４（Ｃ）は左方向に傾いた状態を、図４（Ｄ）は右方向に傾いた状態を、示している。
【図５】実施形態の電子書籍用端末のページをめくる動画を説明するための説明図である。
【発明を実施するための形態】
【０００９】
以下、図面を参照しつつ、一実施形態に係る携帯端末について説明する。この端末装置は、例えばクラムシェル型の電子書籍用端末（以下「携帯端末」ともいう）１０として実現されている。図１に示すように、携帯端末１０は、第１の表示部２０と第２の表示部３０とが、開閉角度θが調整できる連結部４０により連結されている。第１の表示部２０は第１の表示パネル２１を有し、第２の表示部３０は第２の表示パネル３１を有する。また、第１の表示部２０と第２の表示部３０と連結部４０とは、携帯端末１０の本体部を構成する。本体部には、後述する各種の機能部が内蔵されている。
【００１０】
携帯端末１０は、携行時には第１の表示部２０と第２の表示部３０とを、表示パネル２１、３１を向かい合わせに折りたたむことができる。折りたたんだときの開閉角度θは略０度となる。そして、携帯端末１０は、使用時には第１の表示部２０と第２の表示部３０とを展開して、実行された文書閲覧プログラム等のアプリケーションプログラムに応じた表示画像を、第１の表示パネル２１および第２の表示パネル３１に表示する。開閉角度θは、略０度から１８０度超の範囲に調整可能である。
【００１１】
図２に示すように、携帯端末１０は、更に、制御部１１と、角度検出部１２と、動作検出部１３と、記憶部１４と、入出力部１５と、を有している。なお、図示しないが携帯端末１０は、バッテリ、ＲＯＭ、マイク、スピーカー、カメラ、または無線通信部等の各種の携帯端末が有する機能部を有していてもよい。
【００１２】
制御部１１は、携帯端末１０の全体の制御を行う、例えばＣＰＵである。角度検出部１２は連結部４０の開閉角度を検出する、例えばロータリーエンコーダである。動作検出部１３は、第１の表示部２０および第２の表示部３０、すなわち本体部（携帯端末１０）の動きを検出する、例えば加速度センサである。動作検出部１３は、第１の表示部２０または第２の表示部３０の少なくともいずれかに配設されていればよい。なお、後述するように、携帯端末１０では、動作検出部１３が使用者によるページ更新指示を検出するページ更新指示検出部である。記憶部１４は、アプリケーションプログラムおよび電子書籍のデータ等を記憶する。入出力部１５は、携帯端末１０に電子書籍のデータ等を入力したり、記憶部１４に記憶されているデータを別の端末に転送したりするためのインターフェイスである。
【００１３】
表示パネル２１および表示パネル３１は、液晶パネル、有機ＥＬパネル、または、電気泳動型電子ペーパーパネル等である。なお、携帯端末１０の第１の表示パネル２１および第２の表示パネル３１は、タッチパネル式の入力機能を有し、入出力部１５の一部でもあることが好ましい。
【００１４】
次に、図３のフローチャートを用いて、携帯端末１０の動作について説明する。
＜ステップＳ１０＞  起動
携帯端末１０は起動すると、文書閲覧プログラム等のアプリケーションプログラムを実行し、各種のイベント待ちの状態、例えば、記憶部１４に記憶されている複数の電子書籍のタイトルを示す画面を表示する状態となる。
【００１５】
＜ステップＳ１１＞  初期表示
使用者が、例えば第１の表示パネル２１のタッチパネルを介して、所望の電子書籍を選択すると、制御部１１の制御により、第１の表示パネル２１に、選択された電子書籍の１ページ目の画像が表示され、第２の表示パネル３１に２ページ目の画像が表示される。
【００１６】
すなわち、制御部１１は電子書籍の連続するページの画像を、第１の表示部２０と第２の表示部３０とに、それぞれ表示する。もちろん、書籍の種類によっては、第１の表示パネル２１に、電子書籍の２ページの画像が表示され、第２の表示パネル３１に１ページの画像が表示される。すなわち書籍が、いわゆる右開きか左開きかによって、第１の表示部２０と第２の表示部３０とに表示されるページ画像の順番が異なる。
【００１７】
なお、使用者が選択した電子書籍データに付加情報として、読み終わっているページ数（Ｘ）が記憶部１４に記憶されている場合には、次のページ（Ｘ＋１）の画像から表示するように、制御部１１は制御してもよい。
【００１８】
また、制御部１１は、後述するページ更新処理のときと同様に初期表示を行うときに、本を開く動画（アニメーション）を表示するように制御してもよい。
【００１９】
＜ステップＳ１２＞  傾き動作検出？（ページ更新指示検出）
使用者が、次のページを読むために、表示ページ更新処理を指示する。すなわち、第１の表示パネル２１と第２の表示パネル３１とに、表示された電子書籍の連続するページそれぞれの画像を、ページを２ページ増加した画像にそれぞれ更新し表示するように指示する。
携帯端末１０では、携帯端末１０（本体部）を右方向または左方向に傾けると、その傾き動作が動作検出部１３により検出される。すなわち、動作検出部１３が、ページ更新指示検出部である。
【００２０】
動作検出部１３がページ更新指示、すなわち、傾き動作を検出する（Ｙｅｓ）と、Ｓ１３からの処理が行われる。動作検出部１３が傾き動作を検出しない（Ｎｏ）場合には、携帯端末１０は、傾き動作を検出する（Ｙｅｓ）まで待機する。すなわち、ページ更新処理は行われない。
【００２１】
＜ステップＳ１３＞  開閉角度θ≧１８０度？
動作検出部１３が、傾き動作を検出する（Ｓ１２：Ｙｅｓ）と、制御部１１が表示ページ更新処理を行う。しかし、動作検出部１３による本体部の動きだけをもとに、表示ページ更新処理を行うと、使用者が、閲覧中に体の向きを変えるだけでもページが変わってしまうことがある。このため、図４（Ａ）に示すように開閉角度が１８０度以上の場合（Ｙｅｓ）には、たとえ動作検出部１３が傾き動作を検出しても、携帯端末１０は、Ｓ１２からの待機状態を維持する。すなわち、ページ更新処理は行われない。
【００２２】
これに対して、図４（Ｂ）に示すように、開閉角度θが１８０度未満の場合（Ｎｏ）には、Ｓ１４からのページ更新処理が行われる。
【００２３】
なお、ページ更新処理を行うか否かの基準となる開閉角度θは、厳密に１８０度に限られるものではなく、略１８０度、１８０度未満、または１８０度超であってもよいし、使用者が好みに応じて設定可能であってもよい。ここで、略１８０度とは例えば、１８０度±１５度である。
【００２４】
＜ステップＳ１４、Ｓ１５＞  左方向傾き？、ページ左めくり処理
図４（Ｃ）に示すように、動作検出部１３が検出した傾き動作の方向が、左方向であった場合（Ｓ１４：Ｙｅｓ）、制御部１１は、Ｓ１５において、表示ページ更新処理としてページ左めくり処理を行う。なお、左めくり処理とは、右側の第２の表示パネル３１に表示されているページを、左側の表示パネル２１側に移動する処理であり、左開きの書籍では表示されるページを進める処理である。
【００２５】
図５（Ａ）〜図５（Ｄ）に示すように、ページ左めくり処理のときに、制御部１１は、本のページをめくるような動画を表示する。図５（Ａ）は、第１の表示パネル２１に１ページ目の画像（以下「１ページ画像」という）が表示され、第２の表示パネル３１に２ページ画像が表示されている初期表示状態を示している。なお、図５（Ａ）の第２の表示パネル３１の右端には、２ページ画像の後に、多数のページ画像データがあることを示すページ端部画像３１Ａが表示されている。
【００２６】
図５（Ｂ）は、第２の表示パネル３１には、２ページ画像がめくられて、その後にある４ページ画像が見え始めている状態を示している。図５（Ｃ）は、２ページ画像が更にめくられて、第２の表示パネル３１に４ページ画像の全体が表示され、第１の表示パネル２１に、２ページ画像の裏にある３ページ画像の一部が表示され、１ページ画像が一部だけ表示されている状態を示している。そして、図５（Ｄ）は、ページ左めくり処理が完了し、第１の表示パネル２１に３ページ画像が表示され、第２の表示パネル３１に４ページ画像が表示されている状態を示している。すなわち、ページめくりを表す動画は、図５（Ａ）から図５（Ｄ）の間で２枚以上ページめくり途中状態の静止画を順に表示するアニメーションである。
【００２７】
また、第１の表示パネル２１の左端には、３ページ画像の後に、ページ画像データがあることを示すページ端部画像２１Ａが表示されている。
【００２８】
以上の説明のように、ページ左めくり処理は、第１の表示パネル２１と第２の表示パネル３１とに、それぞれページを２ページ増加した画像を表示する処理である。
【００２９】
携帯端末１０は、表示ページ更新処理のときに、ページをめくる動画を表示するために、使用者は紙の本に類似した感覚で読み進めることができる。
【００３０】
なお、ページ端部画像２１Ａの幅は、ページ端部画像３１Ａの幅よりも小さく、この電子書籍のコンテンツの前半領域のページが、表示部に表示されていることを示している。このため、使用者は紙の本と同様に、視覚情報から残りのページ数を意識しながら、読み進めることができる。
【００３１】
＜ステップＳ１６＞  ページ右めくり処理
図４（Ｄ）に示すように、動作検出部１３が検出した傾き動作の方向が、左方向でない場合（Ｓ１４：Ｎｏ）、すなわち、傾き動作の方向が、右方向だった場合には、制御部１１は、Ｓ１６において、表示ページ更新処理としてページ右めくり処理を行う。ページ右めくり処理は、第１の表示パネル２１と第２の表示パネル３１とに、それぞれページを２ページ減少した画像を表示する。すなわち、ページ右めくり処理は、表示されるページを戻す処理であるが、ページ左めくり処理と類似しているので説明は省略する。
【００３２】
もちろん、戻るページの画像がない初期表示の場合、すなわち、新規に読み始めた電子書籍の場合には、制御部１１は、ページ戻り処理は行わない。または、制御部１１は本を閉じる動画表示を行ってもよいし、電源ＯＦＦ動作を行ってもよい。
【００３３】
＜ステップＳ１７＞  終了？
タッチパネル等を介して使用者が終了を指示するまで、Ｓ１１からの処理が繰り返し行われる。
【００３４】
以上の説明のように、携帯端末１０は、閲覧中に意図しない傾き動作があっても、第１の表示部２０と第２の表示部３０とが、所定の開閉角度以上に大きく開かれた状態では表示ページ更新処理を行わない。このため、携帯端末１０は操作性がよい。
【００３５】
なお、電子書籍としては、紙の本を電子化したり、画像化したりしただけの単純なデータファイルに限られるものではなく、ページ単位で順に表示するコンテンツを有するデータファイルであればよい。すなわち、マルチメディアプラットホームである電子書籍は、紙の本では実現できない様々な拡張性を有している。
【００３６】
例えば、電子書籍は、それぞれのページに表示する歌詞、静止画または動画等に、音楽データが埋め込まれた音楽データベースファイルであってもよい。使用者は、複数のページからなる音楽データベースファイルのページを読み進めながら、それぞれのページに埋め込まれた音楽を楽しむことができる。
【００３７】
また、動作検出部１３が、傾き動作が右方向または左方向のいずれであるかを検知する場合について説明したが、傾き動作の速度を検出して所定速度以上の場合には複数のページをパラパラとめくるように制御してもよい。更に、動作検出部１３が前後方向への傾きを検出し、検出結果に応じて所定の動作を行ってもよい。
【００３８】
また、ページ更新指示は、動作検出部１３が検出する傾き動作指示に限られるものではない。例えば、第１の表示パネル２１または第２の表示パネル３１をタッチパネルで構成した場合に、使用者が指をパネル上で右から左に滑らせる動作を行ったときに、ページ左めくり処理を行う指示等であってもよい。
【００３９】
ページ更新指示が如何なるものであっても、携帯端末１０の制御部１１は開閉角度θが所定角度範囲ではページ送り処理を行わない。このため、使用者の意図しないページ送り処理が行われることがないため、携帯端末１０は操作性がよい。
【００４０】
なお、以上では、本発明の実施形態を説明したが、この実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。実施形態は、発明の範囲や要旨に含まれるとともに、特許請求の範囲に記載された発明とその均等の範囲に含まれる。
【符号の説明】
【００４１】
１０…電子書籍用端末（携帯端末）、１１…制御部、１２…角度検出部、１３…動作検出部、１４…記憶部、１５…入出力部、２０…表示部、２１…表示パネル、２１Ａ…ページ端部画像、３０…表示部、３１…表示パネル、３１Ａ…ページ端部画像、４０…連結部
【図１】
2012212194.tif 000003
【図２】
2012212194.tif 000004
【図３】
2012212194.tif 000005
【図４】
2012212194.tif 000006
【図５】
2012212194.tif 000007